(57)【要約】      （修正有）【課題】様々な奥行、幅の空間において、この角部の湿気及び水分を効率良く吸収できる吸湿及び吸水具を提供する。【解決手段】吸湿及び吸水具１は、筒状外袋２に複数の内袋３が出し入れ可能に直列状に収容されており、筒状外袋２は織布で成形されており、内袋３には珪藻土の粒子が封入されていると共に不織布で成形されている。吸湿及び吸水具１は、隣り合う内袋３同士が間隙を設けられる余裕のある状態で筒状外袋２に収容されており、隣り合う内袋３間で筒状外袋２が折曲可能と成っている。【選択図】図１
0003218893.tif 000002
【実用新案登録請求の範囲】
【請求項１】
筒状外袋に複数の内袋が出し入れ可能に直列状に収容されており、前記筒状外袋は織布で成形されており、前記内袋は珪藻土の粒子が封入されていると共に不織布で成形されていることを特徴とする吸湿及び吸水具。
【請求項２】
隣り合う内袋同士が間隙を設けられる余裕のある状態で筒状外袋に収容されており、隣り合う内袋間で前記筒状外袋が折曲可能と成っていることを特徴とする請求項１に記載の吸湿及び吸水具。
【請求項３】
筒状外袋は珪藻土が混入された糸で製織した布で成形されていることを特徴とする請求項１又は２のいずれかに記載の吸湿及び吸水具。
【考案の詳細な説明】
【技術分野】
【０００１】
本考案は、吸湿及び吸水具に関する。
【背景技術】
【０００２】
室内で空気の流れが少ない空間においては、湿気が溜まりやすい。
【０００３】
珪藻土を利用して、湿気を調整するものとして、特許文献１に示すものがある。
【先行技術文献】
【特許文献】
【０００４】
【特許文献１】特開２００５−８７８４８号公報
【考案の概要】
【考案が解決しようとする課題】
【０００５】
室内で空気の流れが少ない空間、例えば、押入れでは、床面と壁面との角部に湿気が集まる傾向がある。また、室内で空気の流れが少ない空間の湿気が飽和すると、壁で結露して壁を伝い降りて、床面と壁面との角部に水分として貯まることとなる。様々な奥行、幅の空間において、この角部の湿気及び水分を効率良く吸収したいという課題がある。
【０００６】
そこで、様々な奥行、幅の空間において、この角部の湿気及び水分を効率良く吸収できる吸湿及び吸水具を提供することを目的とする。
【課題を解決するための手段】
【０００７】
本考案の請求項１の吸湿及び吸水具は、筒状外袋に複数の内袋が出し入れ可能に直列状に収容されており、前記筒状外袋は織布で成形されており、前記内袋は珪藻土の粒子が封入されていると共に不織布で成形されている。
【０００８】
請求項１の吸湿及び吸水具の考案は、筒状となっているので、様々な奥行、幅の空間において、角部に沿って載置することができる。
【０００９】
また、請求項１の吸湿及び吸水具によれば、吸湿性及び吸水性のある珪藻土の粒子が封入された内袋を容易に交換することができる。また、逆に、汚れが目立つようになってきた筒状外袋を容易に交換することができる。
【００１０】
請求項２の吸湿及び吸水具の考案は、請求項１に記載の考案において、隣り合う内袋同士が間隙を設けられる余裕のある状態で筒状外袋に収容されており、隣り合う内袋間で前記筒状外袋が折曲可能と成っている。
【００１１】
請求項２の吸湿及び吸水具の考案は、請求項１に記載の考案と同様の効果を有することに加えて、容易に筒状外袋が折曲できるようになっている。
【００１２】
例えば、吸湿及び吸水具の長手方向の長さが押入れの奥行より長い場合であっても、容易に筒状外袋を折曲させて、押入れの奥行の長さに合わせることができる。
【００１３】
請求項３の吸湿及び吸水具の考案は、請求項１又は２に記載の考案において、筒状外袋は珪藻土が混入された糸で製織した布で成形されている。
【００１４】
請求項３の吸湿及び吸水具の考案は、請求項１又は２に記載の考案と同様の効果を有することに加えて、筒状外袋自体も吸湿性及び吸水性を有しており、吸湿及び吸水具の吸湿性及び吸水性をより向上させることができる。
【考案の効果】
【００１５】
請求項１〜３に記載の吸湿及び吸水具は、様々な奥行、幅の空間において、角部の湿気及び水分を効率良く吸収することができる。
【図面の簡単な説明】
【００１６】
【図１】本発明の一実施形態の吸湿及び吸水具を示す概略平面図である。
【図２】本発明の一実施形態の吸湿及び吸水具を示す概略側面図である。
【図３】筒状外袋の開口部付近を拡大した概略平面図である。
【図４】筒状外袋に内袋を収容している途中の状態を拡大した概略平面図である。
【図５】屈曲させた吸湿及び吸水具を示す概略平面図である。
【図６】ハンガーに掛けた衣類に吸湿及び吸水具を使用する例を示す概略正面図である。
【考案を実施するための形態】
【００１７】
本考案の一実施形態の吸湿及び吸水具１を図面に基づいて説明する。図１に示すように、吸湿及び吸水具１は、実線の筒状外袋２に破線の複数の内袋３が出し入れ可能に直列状に収容されている。
【００１８】
筒状外袋２は織布で成形されている。図２に示すように、筒状外袋２は、基布２１となる長尺布地と、同一の短手幅で２分の１強の長さを有する２枚の当布２２，２３とから構成されている。
【００１９】
筒状外袋２は基布２１となる長尺布地の端部に当布２２，２３の各一方の端部を一致させて被せ、基布２１の中央付近において、当布２２，２３の他方の端部同士を互いに重ねた状態において、基布２１と２枚の当布２２，２３の長手方向及び短手方向の各両端部を逢着する。これにより、筒状外袋２は、内部空間を形成した筒状体としている。
【００２０】
２枚の当布２２，２３の互いに重ねられた他方の端部同士は開口部２４を形成する。通常は、図３の（ａ）に示すように、当布２２，２３の他方の端部同士を互いに重なった状態となっている。図３の（ｂ）に示すように、当布２２，２３の他方の端部同士を互いに反対方向に引っ張ることによって、開口部２４が形成されるようになっている。
【００２１】
開口部２４は、図４に示すように、内袋３を筒状外袋２の内部空間に収容するための出し入れ口とすることができる。
【００２２】
筒状外袋２を構成する基布２１及び当布２２，２３は通気性及び通水性のある織り組織とし、内袋３に収容される珪藻土の吸湿作用及び吸水作用を妨げないようにしている。
【００２３】
珪藻土が混入された糸で製織した布で成形することで、筒状外袋２自体も吸湿作用及び吸水作用を有することとなり、吸湿及び吸水具１の吸湿性及び吸水性をより向上させることができる。
【００２４】
内袋３は不織布で成形されており、内部に珪藻土の粒子が封入されている。珪藻土を粒子とすることで内袋及び収容した外袋の形態の自由度が増すこととなる。
【００２５】
また、内袋３を不織布とすることで通気性及び通水性が確保されて、珪藻土の吸湿性及び吸水性を阻害することがない。
【００２６】
さらに、内袋３を不織布とすることで、封入した珪藻土の粒子が使用によって割れて粉体に近い状態となっても漏れ出ることを抑制できる。
【００２７】
図１では、一例として、内袋３は筒状体に形成され、４個の内袋３が筒状外袋２に直列に収容されている。
【００２８】
吸湿及び吸水具１は筒状外袋２と内袋３との二重構成とすることによって、内袋３内部の珪藻土の粒子が外部へ漏れ出るのを確実に防止し、筒状外袋２は洗濯又は交換が可能となり、清潔性を維持できる。吸湿及び吸水具１は、封入した珪藻土の粒子が使用によって割れて粉体に近い状態となっても、珪藻土が封入された内袋３が交換可能となり、吸湿性及び吸水性を維持することができる。
【００２９】
また、筒状外袋２の筒状体の長さに応じて内袋３の収容個数を対応できるため多様なサイズの吸湿及び吸水具の製造が容易に行える。
【００３０】
また、内袋３は、隣り合う内袋同士で間隙を設けられる余裕のある状態で筒状外袋２に収容されており、斯かる間隙を利用して内袋が単独で、或いは連続する複数個が同時に摺動できるものとなっている。
【００３１】
したがって、図５に示すように、隣り合う内袋３間に設けられた適宜な隙間を利用して筒状外袋２を任意な形状に折曲することができる。そのため、多様な空間おける角部に応じた設置が自在となる。
【００３２】
また、一旦使用した衣類においては、例えば、脇部分や股部分など生地に湿気が多く含まれる傾向がある。衣類をハンガーにかけても、例えば、脇部分や股部分は生地が重なり合っているため、湿気を取り除きにくい場合がある。
【００３３】
図６に示すように、吸湿及び吸水具１を衣類１０と共にハンガー１１に掛けることによって、生地が重なり合っている脇部分に吸湿及び吸水具１を配置することができる。これにより、生地が重なり合っている部分の湿気を効率良く吸収することができる。
【００３４】
さらに、屋内外の温度差の影響で結露しやすい窓では、結露した水を放置するとカビが発生する場合がある。様々な幅の窓において、下枠や窓台に結露した水貯まらないように吸水したいという場合がある。
【００３５】
窓のサッシ、下枠や窓台のような奥行きが短い箇所にも、水が溜まりやすい場所に沿って、筒状の吸湿及び吸水具１を配置することができる。これにより、結露した水を効率良く吸水することができる。
【００３６】
上記実施形態は、一例として、内袋３は筒状体に形成され、４個の内袋３が筒状外袋２に直列に収容されている場合について説明したが、これに限定されることはない。内袋は例えば、球体などの筒状体以外の形状に形成されていてもよく、筒状外袋に収容される内袋は、４個以外の２個以上の複数個であってもよく、内袋が筒状外袋に直列に収容されていなくてもよい。
【符号の説明】
【００３７】
１          吸湿及び吸水具
２          筒状外袋
３          内袋
１０        衣類
１１        ハンガー
２１        基布
２２，２３  当布
２４        開口部
【図１】
0003218893.tif 000003
【図２】
0003218893.tif 000004
【図３】
0003218893.tif 000005
【図４】
0003218893.tif 000006
【図５】
0003218893.tif 000007
【図６】
0003218893.tif 000008